【手続補正書】
【提出日】平成19年8月23日(2007.8.23)
【手続補正１】
【補正対象書類名】特許請求の範囲
【補正対象項目名】全文
【補正方法】変更
【補正の内容】
【特許請求の範囲】
【請求項１】
複数ページからなり、各ページがそれぞれ、所定の指示を行う複数の指示用操作ボタンとページ送りを行うページ送り用操作ボタンとを含む選択可能な複数の操作ボタンを有するメニュー画面を表示させるメニュー制御方法であって、
前記各ページ送り用操作ボタンに規定され、入力装置の操作によって選択対象とされたときに前記各ページ送り用操作ボタンに割り当てられた機能を自動的に実行することを指示する自動実行情報が所定のフォーマットで記録された記録媒体から前記自動実行情報を読み出し、
各ページのメニュー画面上において、選択対象となる操作ボタンを前記指示用操作ボタンから前記ページ送り用操作ボタンへ移動させる操作が前記入力装置の操作によって行われた際に、前記記録媒体から読み出された、選択されたページ送り用操作ボタンに規定された自動実行情報に基づいて、前記ページ送り用操作ボタンに割り当てられた機能を自動的に実行する
ことを特徴とするメニュー制御方法。
【請求項２】
複数ページからなり、各ページがそれぞれ、所定の指示を行う複数の指示用操作ボタンとページ送りを行うページ送り用操作ボタンとを含む選択可能な複数の操作ボタンを有するメニュー画面を表示させるメニュー制御装置であって、
前記各ページ送り用操作ボタンに規定され、入力装置の操作によって選択対象とされたときに前記各ページ送り用操作ボタンに割り当てられた機能を自動的に実行することを指示する自動実行情報が所定のフォーマットで記録された記録媒体から前記自動実行情報を読み出す自動実行情報読出手段と、
各ページのメニュー画面上において、選択対象となる操作ボタンを前記指示用操作ボタンから前記ページ送り用操作ボタンへ移動させる操作が前記入力装置の操作によって行われた際に、前記記録媒体から読み出された、選択されたページ送り用操作ボタンに規定された自動実行情報に基づいて、前記ページ送り用操作ボタンに割り当てられた機能を自動的に実行する自動実行手段と
を備えたことを特徴とするメニュー制御装置。
【手続補正２】
【補正対象書類名】明細書
【補正対象項目名】発明の名称
【補正方法】変更
【補正の内容】
【発明の名称】メニュー制御方法および装置
【手続補正３】
【補正対象書類名】明細書
【補正対象項目名】０００１
【補正方法】変更
【補正の内容】
【０００１】
本発明は、例えばディジタル・ビデオ・ディスク（以下、ＤＶＤと記す。）等の記録媒体より情報を再生する際に使用される、複数ページからなるメニューを表示させるメニュー制御方法および装置に関する。
【手続補正４】
【補正対象書類名】明細書
【補正対象項目名】００１９
【補正方法】変更
【補正の内容】
【００１９】
本発明はかかる問題点に鑑みてなされたもので、その目的は、複数ページのメニュー画面を容易に操作することができるようにしたメニュー制御方法および装置を提供することにある。
【手続補正５】
【補正対象書類名】明細書
【補正対象項目名】００２０
【補正方法】削除
【補正の内容】
【手続補正６】
【補正対象書類名】明細書
【補正対象項目名】００２１
【補正方法】変更
【補正の内容】
【００２１】
本発明のメニュー制御方法は、複数ページからなり、各ページがそれぞれ、所定の指示を行う複数の指示用操作ボタンとページ送りを行うページ送り用操作ボタンとを含む選択可能な複数の操作ボタンを有するメニュー画面を表示させるメニュー制御方法であって、各ページ送り用操作ボタンに規定され、入力装置の操作によって選択対象とされたときに各ページ送り用操作ボタンに割り当てられた機能を自動的に実行することを指示する自動実行情報が所定のフォーマットで記録された記録媒体から自動実行情報を読み出し、各ページのメニュー画面上において、選択対象となる操作ボタンを指示用操作ボタンからページ送り用操作ボタンへ移動させる操作が入力装置の操作によって行われた際に、記録媒体から読み出された、選択されたページ送り用操作ボタンに規定された自動実行情報に基づいて、ページ送り用操作ボタンに割り当てられた機能を自動的に実行するものである。
【手続補正７】
【補正対象書類名】明細書
【補正対象項目名】００２２
【補正方法】変更
【補正の内容】
【００２２】
本発明のメニュー制御装置は、複数ページからなり、各ページがそれぞれ、所定の指示を行う複数の指示用操作ボタンとページ送りを行うページ送り用操作ボタンとを含む選択可能な複数の操作ボタンを有するメニュー画面を表示させるメニュー制御装置であって、各ページ送り用操作ボタンに規定され、入力装置の操作によって選択対象とされたときに各ページ送り用操作ボタンに割り当てられた機能を自動的に実行することを指示する自動実行情報が所定のフォーマットで記録された記録媒体から自動実行情報を読み出す自動実行情報読出手段と、各ページのメニュー画面上において、選択対象となる操作ボタンを指示用操作ボタンからページ送り用操作ボタンへ移動させる操作が入力装置の操作によって行われた際に、記録媒体から読み出された、選択されたページ送り用操作ボタンに規定された自動実行情報に基づいて、ページ送り用操作ボタンに割り当てられた機能を自動的に実行する自動実行手段を備えたものである。
【手続補正８】
【補正対象書類名】明細書
【補正対象項目名】００２３
【補正方法】削除
【補正の内容】
【手続補正９】
【補正対象書類名】明細書
【補正対象項目名】００２４
【補正方法】変更
【補正の内容】
【００２４】
本発明のメニュー制御方法では、各ページ送り用操作ボタンに規定され、入力装置の操作によって選択対象とされたときに各ページ送り用操作ボタンに割り当てられた機能を自動的に実行することを指示する自動実行情報が所定のフォーマットで記録された記録媒体から自動実行情報が読み出され、各ページのメニュー画面上において、選択対象となる操作ボタンを指示用操作ボタンからページ送り用操作ボタンへ移動させる操作が入力装置の操作によって行われた際に、記録媒体から読み出された、選択されたページ送り用操作ボタンに規定された自動実行情報に基づいて、ページ送り用操作ボタンに割り当てられた機能が自動的に実行される。
【手続補正１０】
【補正対象書類名】明細書
【補正対象項目名】００２５
【補正方法】変更
【補正の内容】
【００２５】
本発明のメニュー制御装置では、自動実行情報読出手段によって、各ページ送り用操作ボタンに規定され、入力装置の操作によって選択対象とされたときに各ページ送り用操作ボタンに割り当てられた機能を自動的に実行することを指示する自動実行情報が所定のフォーマットで記録された記録媒体から自動実行情報が読み出される。また、自動実行手段によって、各ページのメニュー画面上において、選択対象となる操作ボタンを指示用操作ボタンからページ送り用操作ボタンへ移動させる操作が入力装置の操作によって行われた際に、記録媒体から読み出された、選択されたページ送り用操作ボタンに規定された自動実行情報に基づいて、ページ送り用操作ボタンに割り当てられた機能が自動的に実行される。
【手続補正１１】
【補正対象書類名】明細書
【補正対象項目名】００２６
【補正方法】変更
【補正の内容】
【００２６】
以上説明したように請求項１記載のメニュー制御方法、もしくは請求項２記載のメニュー制御装置によれば、各ページ送り用操作ボタンに規定され、入力装置の操作によって選択対象とされたときに各ページ送り用操作ボタンに割り当てられた機能を自動的に実行することを指示する自動実行情報が所定のフォーマットで記録された記録媒体から自動実行情報が読み出され、各ページのメニュー画面上において、選択対象となる操作ボタンを指示用操作ボタンからページ送り用操作ボタンへ移動させる操作が入力装置の操作によって行われた際に、記録媒体から読み出された、選択されたページ送り用操作ボタンに規定された自動実行情報に基づいて、ページ送り用操作ボタンに割り当てられた機能が自動的に実行されるようにしたので、複数ページのメニュー画面を容易に操作することが可能となるという効果を奏する。
【手続補正１２】
【補正対象書類名】明細書
【補正対象項目名】００２７
【補正方法】削除
【補正の内容】